(57)【要約】【課題】小型化および構成の簡略を容易に図ることができるブースタ装置を提供する。【解決手段】ブースタ装置２２０に、デジタル放送用アンテナ２１１およびアナログ放送用アンテナ２１２で受信されたデジタル放送信号およびアナログ放送信号を増幅する第１，第２のアンプ２２５，２２６と、デジタル増幅信号およびアナログ増幅信号を出力するための第１，第２のブースタ端子２２３，２２４と、第１，第２のアンプ２２５，２２６を動作させるための電力信号を通過させるとともにアナログ放送信号よりも高い周波数帯域のデジタル放送信号を通過させないローパスフィルタ２２７と、を設けた。ローパスフィルタ２２７を、デジタル放送信号を増幅する第１のアンプ２２５に接続された第１のブースタ端子２２３と、第１，第２のアンプ２２５，２２６の電力信号入力部と、を接続する状態で設けた。【選択図】図３
2007189572.tif 000002
【特許請求の範囲】
【請求項１】
異なる周波数帯域の信号を受信可能なブースタ装置であって、
前記異なる周波数帯域の信号を受信する一対のアンテナおよび一対のケーブルにそれぞれ接続され、前記アンテナで受信された前記信号を増幅して前記ケーブルへ出力する一対のアンプと、
入力される信号を分離して、前記異なる周波数帯域のうち高い周波数帯域よりも低い周波数の信号を出力する信号出力制御手段と、
を具備し、
前記信号出力制御手段は、前記アンプを介して前記高い周波数帯域の信号を受信するアンテナに接続された前記ケーブル、および、前記一対のアンプに接続され、前記ケーブルを介して入力される前記増幅された信号および直流バイアスを分離して、その出力を前記一対のアンプへ供給する
ことを特徴としたブースタ装置。
【請求項２】
請求項１に記載のブースタ装置であって、
前記信号出力制御手段は、
一端が前記高い周波数帯域の信号を増幅する前記アンプに接続された前記ケーブルに接続されるとともに、他端が前記一対のアンプに接続されたコイルと、
一端が前記コイルの他端に接続されるとともに、他端が接地されたコンデンサと、
を備えた
ことを特徴としたブースタ装置。
【発明の詳細な説明】
【技術分野】
【０００１】
本発明は、異なる周波数帯域の信号を受信可能なブースタ装置に関する。
【背景技術】
【０００２】
近年、テレビジョン（以下、テレビと称す）放送として、従来あるアナログ放送に加え、このアナログ放送の周波数帯域よりも高い周波数帯域で放送されるデジタル放送が普及してきている。そして、デジタル放送の普及に伴い、アナログ放送信号およびデジタル放送信号を受信して増幅可能な構成が望まれている。このようなアナログ放送およびデジタル放送の両方の放送信号を受信して増幅可能な構成として、例えば図１に示すような構成が考えられる。また、２つの放送信号を受信して増幅する構成として、デジタル音声放送の地上放送信号および衛星放送信号を受信して増幅可能な構成が知られている（例えば、特許文献１参照）。
【０００３】
図１に示す受信装置７００は、アンテナ部７１０と、ブースタ装置７２０と、を備えている。
【０００４】
アンテナ部７１０は、デジタル放送の周波数帯域で放送されるデジタル放送信号と、アナログ放送の周波数帯域で放送されるアナログ放送信号と、を受信して、ブースタ装置７２０へ出力する。そして、アンテナ部７１０は、デジタル放送用アンテナ７１１と、アナログ放送用アンテナ７１２と、を備えている。デジタル放送用アンテナ７１１は、デジタル放送信号を受信可能な長さ寸法を有し、デジタル放送信号を受信してブースタ装置７２０へ出力する。アナログ放送用アンテナ７１２は、周波数帯域がデジタル放送信号よりも低いアナログ放送信号を受信可能な長さ寸法、すなわちデジタル放送用アンテナ７１１よりも長い長さ寸法を有し、アナログ放送信号を受信して、ブースタ装置７２０へ出力する。
【０００５】
ブースタ装置７２０は、アンテナ部７１０から出力されるデジタル放送信号やアナログ放送信号を増幅する。そして、ブースタ装置７２０は、デジタル放送端子７２１と、アナログ放送端子７２２と、第１のブースタ端子７２３と、第２のブースタ端子７２４と、電力信号入力端子７２５と、第１のアンプ７２６と、第２のアンプ７２７と、を備えている。
【０００６】
デジタル放送端子７２１は、デジタル放送用アンテナ７１１と、第１のアンプ７２６の受信信号入力部と、に接続されている。アナログ放送端子７２２は、アナログ放送用アンテナ７１２と、第２のアンプ７２７の受信信号入力部と、に接続されている。
【０００７】
第１，第２のブースタ端子７２３，７２４は、第１，第２のアンプ７２６，７２７の増幅信号出力部に接続されている。また、第１，第２のブースタ端子７２３，７２４は、第１，第２のアンプ７２６，７２７から出力されるデジタル放送信号やアナログ放送信号を所定の信号に変換するチューナ部８００に、第１，第２の放送信号線Ｌ８１，Ｌ８２を介して接続されている。電力信号入力端子７２５は、第１，第２のアンプ７２６，７２７の電力信号入力部に接続されている。また、電力信号入力端子７２５は、第１，第２のアンプ７２６，７２７を動作させるための電力信号を出力する電力信号出力手段８１０に、電力信号線Ｌ８３を介して接続される。
【０００８】
第１のアンプ７２６は、電力信号出力手段８１０から入力される電力信号により動作し、デジタル放送用アンテナ７１１から入力されるデジタル放送信号を増幅して、デジタル増幅信号としてチューナ部８００へ出力する。第２のアンプ７２７は、電力信号出力手段８１０から入力される電力信号により動作し、アナログ放送用アンテナ７１２からのアナログ放送信号を増幅して、アナログ増幅信号としてチューナ部８００へ出力する。
【０００９】
一方、特許文献１に記載のものは、チューナ部に、アンテナ回路部に接続された第一のケーブルおよび第二のケーブルのうちいずれか一方のケーブルに第一の電圧を重畳するとともに、一方のケーブルの断線と短絡とを検出する第一の電圧重畳回路と、他方のケーブルに第二の電圧を重畳するとともに、他方のケーブルの断線と短絡とを検出する第二の電圧重畳回路とを設けている。また、アンテナ回路部に、入力される地上放送信号を増幅する第一の低雑音増幅器と、衛星放送信号を増幅する第二の低雑音増幅器とを設けている。
【００１０】
そして、アンテナ回路部は、第一の低雑音増幅器によって増幅した地上放送信号と第二の低雑音増幅器によって増幅した衛星放送信号を第一，第二のケーブルによってチューナ部に入力する。さらに、アンテナ回路部は、一方のケーブルに重畳された第一の電圧を第一のチョークインダクタおよび電圧安定化回路を介して第一の低雑音増幅器および第二の低雑音増幅器に供給し、他方のケーブルに重畳された第二の電圧を第二のチョークインダクタを介して電流通流用抵抗に供給する構成が採られている。
【００１１】
【特許文献１】特開２００２−２４６９２９号公報（第４頁左欄−第５頁右欄）
【発明の開示】
【発明が解決しようとする課題】
【００１２】
しかしながら、上述したような図１に示すような受信装置７００では、電力信号のみを出力するための電力信号線Ｌ８３をブースタ装置７２０の電力信号入力端子７２５に接続するため、ブースタ装置７２０と、チューナ部８００および電力信号出力手段８１０と、の間の配線の本数が多くなり構成が複雑になるおそれがあるという問題点が一例として挙げられる。また、特許文献１のような構成では、第一の低雑音増幅器および第一のケーブルの間と、第二の低雑音増幅器および第二のケーブルの間とに、それぞれ放送信号および電圧を分離する構成を設ける必要があるため、アンテナ回路部が大型化してしまうおそれがあるという問題点が一例として挙げられる。
【００１３】
本発明の目的は、このような実情などに鑑みて、小型化および構成の簡略化を容易に図ることが可能なブースタ装置を提供することである。
【課題を解決するための手段】
【００１４】
請求項１に記載の発明は、異なる周波数帯域の信号を受信可能なブースタ装置であって、前記異なる周波数帯域の信号を受信する一対のアンテナおよび一対のケーブルにそれぞれ接続され、前記アンテナで受信された前記信号を増幅して前記ケーブルへ出力する一対のアンプと、入力される信号を分離して、前記異なる周波数帯域のうち高い周波数帯域よりも低い周波数の信号を出力する信号出力制御手段と、を具備し、前記信号出力制御手段は、前記アンプを介して前記高い周波数帯域の信号を受信するアンテナに接続された前記ケーブル、および、前記一対のアンプに接続され、前記ケーブルを介して入力される前記増幅された信号および直流バイアスを分離して、その出力を前記一対のアンプへ供給することを特徴としたブースタ装置である。
【発明を実施するための最良の形態】
【００１５】
以下、本発明に係る一実施の形態を図面に基づいて説明する。本実施の形態では、移動体としての車両に搭載される信号処理装置としての車載用ＴＶ（テレビ）装置であって、デジタル放送およびアナログ放送のコンテンツとしてのテレビ放送を受信して、映像を表示させたり音声を出力させたりする構成を例示して説明する。図２は、本実施の形態に係る車載用ＴＶ装置が車両に取り付けられた状態を示す模式図である。図３は、車載用ＴＶ装置の概略構成を示すブロック図である。なお、上述した従来の構成と同様の構成については、同一名称を付し、説明を省略あるいは簡略化する。
【００１６】
〔車載用ＴＶ装置の構成〕
図２および図３において、１００は車載用ＴＶ装置である。この車載用ＴＶ装置１００は、デジタル放送およびアナログ放送のテレビ放送を受信して、映像を表示させたり音声を出力させたりする。そして、車載用ＴＶ装置１００は、受信装置２００と、ＴＶ本体装置３００と、を備えている。
【００１７】
受信装置２００は、例えば車両のフロントガラスＧの車内視で左上端側に取り付けられ、デジタル放送信号およびアナログ放送信号を受信、増幅してＴＶ本体装置３００へ出力する。なお、受信装置２００が取り付けられる位置としては、フロントガラスＧの左上端側以外の部分、サイドドア、リアドアなど他の位置としてもよい。そして、受信装置２００は、アンテナ部２１０と、ブースタ装置２２０と、を備えている。
【００１８】
アンテナ部２１０は、デジタル放送用アンテナ２１１と、アナログ放送用アンテナ２１２と、を備えている。アナログ放送用アンテナ２１２は、周波数帯域がデジタル放送信号よりも低いアナログ放送信号を受信可能な構成のため、デジタル放送用アンテナ２１１よりも長い長さ寸法を有している。
【００１９】
ここで、デジタル放送信号およびアナログ放送信号が、本発明のデータ信号およびコンテンツデータ信号に対応している。
【００２０】
ブースタ装置２２０は、第１，第２の放送信号線Ｌ１１，Ｌ１２を介して、ＴＶ本体装置３００に接続されている。ここで、第１，第２の放送信号線Ｌ１１，Ｌ１２が本発明のケーブルに対応している。このブースタ装置２２０は、ＴＶ本体装置３００からの直流バイアスとしての電力信号により動作し、アンテナ部２１０から出力されるデジタル放送信号やアナログ放送信号を増幅し、デジタル増幅信号やアナログ増幅信号としてＴＶ本体装置３００へ出力する。そして、ブースタ装置２２０は、デジタル放送端子２２１と、アナログ放送端子２２２と、第１のブースタ端子２２３と、第２のブースタ端子２２４と、第１のアンプ２２５と、第２のアンプ２２６と、信号出力制御手段としてのローパスフィルタ２２７と、を備えている。
【００２１】
デジタル放送端子２２１は、デジタル放送用アンテナ２１１と、第１のアンプ２２５の受信信号入力部と、に接続されている。アナログ放送端子２２２は、アナログ放送用アンテナ２１２と、第２のアンプ２２６の受信信号入力部と、に接続されている。
【００２２】
第１，第２のブースタ端子２２３，２２４は、第１，第２のアンプ２２５，２２６の増幅信号出力部に接続されている。また、第１，第２のブースタ端子２２３，２２４には、第１，第２の放送信号線Ｌ１１，Ｌ１２の一端側が接続されている。
【００２３】
第１のアンプ２２５は、ＴＶ本体装置３００からローパスフィルタ２２７を介して入力される電力信号により動作し、デジタル放送用アンテナ２１１で受信されたデジタル放送信号をデジタル増幅信号としてＴＶ本体装置３００へ出力する。第２のアンプ２２６は、ローパスフィルタ２２７を介して入力される電力信号により動作し、アナログ放送用アンテナ２１２で受信されたアナログ放送信号をアナログ増幅信号としてＴＶ本体装置３００へ出力する。
【００２４】
ローパスフィルタ２２７は、第１のブースタ端子２２３および第１のアンプ２２５の接続点と、第１，第２のアンプ２２５，２２６の電力信号入力部と、に接続されている。このローパスフィルタ２２７は、電力信号に対応する周波数の信号およびデジタル放送信号の周波数帯域に対応する信号を分離して、電力信号を通過させるとともに、デジタル放送信号を通過させない特性を有している。
【００２５】
具体的には、ローパスフィルタ２２７は、コイル２２７Ａと、コンデンサ２２７Ｂと、を備えている。コイル２２７Ａは、一端が第１のブースタ端子２２３および第１のアンプ２２５の接続点に接続され、他端が第１，第２のアンプ２２５，２２６の電力信号入力部に接続されている。また、コンデンサ２２７Ｂは、一端がコイル２２７Ａの他端に接続され、他端が接地されている。このようなコイル２２７Ａおよび２２７Ｂで構成されるローパスフィルタ２２７のいわゆるカットオフ周波数ｆは、以下の数式（１）により求められる。
【００２６】
ｆ＝１／（２×π×（Ｌ×Ｃ）１／２）…（１）
π：円周率
Ｌ：コイル２２７Ａのインダクタンス
Ｃ：コンデンサ２２７Ｂのキャパシタンス
【００２７】
そして、コイル２２７Ａおよびコンデンサ２２７Ｂは、カットオフ周波数ｆがデジタル放送信号の周波数帯域よりも低くなり、かつ、電力信号の周波数よりも高くなるようなインダクタンスおよびキャパシタンスを有している。これにより、ローパスフィルタ２２７は、第１のブースタ端子２２３および第１のアンプ２２５の接続点から入力される電力信号およびデジタル放送信号を分離して、電力信号を通過させて第１，第２のアンプ２２５，２２６の電力信号入力部へ出力するとともに、デジタル増幅信号を通過させずに電力信号入力部への入力を阻止する。
【００２８】
ＴＶ本体装置３００は、例えば車両のダッシュボードに配設され、受信装置２００からのデジタル増幅信号およびアナログ増幅信号に基づいて、デジタル放送やアナログ放送のテレビ放送を出力する。そして、ＴＶ本体装置３００は、第１の本体端子３０１と、第２の本体端子３０２と、チューナ部３０３と、電力信号出力手段３０４と、操作手段３０５と、表示手段３０６と、音声出力手段３０７と、処理部３０８と、を備えている。
【００２９】
第１の本体端子３０１は、チューナ部３０３と、電力信号出力手段３０４と、に接続されている。第２の本体端子３０２は、チューナ部３０３に接続されている。また、第１，第２の本体端子３０１，３０２には、第１，第２の放送信号線Ｌ１１，Ｌ１２の他端側が接続されている。
【００３０】
チューナ部３０３は、電力信号出力手段３０４と、処理部３０８と、に接続されている。このチューナ部３０３は、電力信号出力手段３０４からの電力信号により動作し、受信装置２００からのデジタル増幅信号やアナログ増幅信号を所定の信号へ変換して、処理部３０８へ出力する。そして、チューナ部３０３は、高周波信号変換手段３０３Ａと、低周波信号変換手段３０３Ｂと、を備えている。
【００３１】
高周波信号変換手段３０３Ａは、第１の本体端子３０１を介して受信装置２００の第１のアンプ２２５に接続されている。この高周波信号変換手段３０３Ａは、第１のアンプ２２５からのデジタル増幅信号を取得する。そして、このデジタル増幅信号に含まれる所定のテレビ放送のデジタル映像信号を高周波映像信号に変換して処理部３０８へ出力するとともに、デジタル音声信号を高周波音声信号に変換して処理部３０８へ出力する。低周波信号変換手段３０３Ｂは、第２の本体端子３０２を介して受信装置２００の第２のアンプ２２６に接続されている。この低周波信号変換手段３０３Ｂは、第２のアンプ２２６からのアナログ増幅信号を取得して、このアナログ増幅信号に含まれる所定のテレビ放送のアナログ映像信号を低周波映像信号に変換して処理部３０８へ出力するとともに、アナログ音声信号を低周波音声信号に変換して処理部３０８へ出力する。
【００３２】
電力信号出力手段３０４は、第１の本体端子３０１および高周波信号変換手段３０３Ａの接続点と、処理部３０８と、に接続されている。すなわち、電力信号出力手段３０４は、電力信号を、第１の本体端子３０１に接続された第１の放送信号線Ｌ１１に重畳させて、第１のブースタ端子２２３へ出力可能な構成を有している。
【００３３】
操作手段３０５は、処理部３０８に接続されている。この操作手段３０５は、ＴＶ本体装置３００の図示しないケース体の例えば正面に配設され、入力操作される図示しない各種操作ボタンや操作つまみなどを有している。そして、操作手段３０５は、デジタル放送やアナログ放送あるいはチャンネルの選択、音量、画質などの設定事項の入力操作により、設定事項に対応する操作信号を処理部３０８へ適宜出力して設定入力させる。
【００３４】
表示手段３０６は、処理部３０８に接続され、例えば車両のダッシュボードに配設されている。この表示手段３０６は、処理部３０８から映像信号を取得し、この映像信号に基づいて、デジタル放送あるいはアナログ放送のテレビ放送の映像を表示する。この表示手段３０６としては、液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００３５】
音声出力手段３０７は、処理部３０８に接続され、例えば車両のダッシュボードやドアなどに配設された図示しないスピーカなどの発音手段を有している。この音声出力手段３０７は、処理部３０８から音声信号を取得し、この音声信号に基づいて、デジタル放送あるいはアナログ放送のテレビ放送の音声を出力する。
【００３６】
処理部３０８は、チューナ部３０３からの高周波信号や低周波信号に基づいて、デジタル放送やアナログ放送のテレビ放送の映像を表示手段３０６で表示させたり、音声を音声出力手段３０７から出力させたりする処理をする。具体的には、処理部３０８は、チューナ部３０３の高周波信号変換手段３０３Ａからの高周波映像信号および高周波音声信号を取得する。そして、この高周波映像信号に基づく映像を表示手段３０６で表示させるための映像信号を生成して、表示手段３０６へ出力する。また、高周波音声信号に基づく音声を音声出力手段３０７から出力させるための音声信号を生成して、音声出力手段３０７へ出力する。さらに、処理部３０８は、チューナ部３０３の低周波信号変換手段３０３Ｂからの低周波映像信号および低周波音声信号を取得して、映像信号および音声信号を出力する。
【００３７】
〔車載用ＴＶ装置の動作〕
次に、車載用ＴＶ装置１００の動作として、テレビ放送の出力処理について説明する。
【００３８】
まず、車載用ＴＶ装置１００のＴＶ本体装置３００は、図示しない電源スイッチがオンされたことを認識すると、電力信号出力手段３０４にて、チューナ部３０３、処理部３０８への電力信号の出力を開始する。さらに、第１の放送信号線Ｌ１１を介して、受信装置２００への電力信号の出力を開始する。
【００３９】
受信装置２００のブースタ装置２２０は、電力信号出力手段３０４から電力信号が入力されると、この入力された電力信号を、ローパスフィルタ２２７を介して、第１，第２のアンプ２２５，２２６の電力信号入力部へ出力する。第１，第２のアンプ２２５，２２６は、電力信号が入力されると、デジタル放送用アンテナ２１１、アナログ放送用アンテナ２１２で受信され受信信号入力部から入力されるデジタル放送信号、アナログ放送信号を取得する。そして、第１，第２のアンプ２２５，２２６は、この取得したデジタル放送信号、アナログ放送信号を増幅して、デジタル増幅信号、アナログ増幅信号として増幅信号出力部から出力する。
【００４０】
第２のアンプ２２６から出力されたアナログ増幅信号は、第２の放送信号線Ｌ１２を介してＴＶ本体装置３００に入力される。一方、第１のアンプ２２５から出力されたデジタル増幅信号は、第１の放送信号線Ｌ１１を介してＴＶ本体装置３００に入力されるとともに、第１のブースタ端子２２３および第１のアンプ２２５の接続点を介してローパスフィルタ２２７に入力される。これにより、ローパスフィルタ２２７には、電力信号およびデジタル増幅信号が重畳された信号が入力されることとなる。そして、ローパスフィルタ２２７は、入力される電力信号およびデジタル増幅信号を分離して、電力信号を第１，第２のアンプ２２５，２２６の電力信号入力部へ出力するとともに、デジタル増幅信号の電力信号入力部への入力を阻止する。
【００４１】
また、ＴＶ本体装置３００は、チューナ部３０３にて、ブースタ装置２２０からデジタル増幅信号およびアナログ増幅信号を取得すると、これらを高周波映像信号、高周波音声信号、低周波映像信号、低周波音声信号に適宜変換して、処理部３０８へ出力する。そして、処理部３０８は、チューナ部３０３から取得した高周波映像信号や低周波映像信号に基づく映像を表示手段３０６で表示させる処理をするとともに、高周波音声信号や低周波音声信号に基づく音声を音声出力手段３０７から出力させる処理をする。すなわち、処理部３０８は、テレビ放送を出力する処理をする。
【００４２】
〔車載用ＴＶ装置の作用効果〕
上述したように、上記実施の形態では、受信装置２００のブースタ装置２２０に、デジタル放送用アンテナ２１１およびアナログ放送用アンテナ２１２がそれぞれ接続されるデジタル放送端子２２１およびアナログ放送端子２２２と、これらデジタル放送端子２２１およびアナログ放送端子２２２にそれぞれ接続され、デジタル放送用アンテナ２１１およびアナログ放送用アンテナ２１２で受信されたデジタル放送信号およびアナログ放送信号を増幅する第１，第２のアンプ２２５，２２６と、第１，第２のアンプ２２５，２２６にそれぞれ接続され、デジタル増幅信号およびアナログ増幅信号を第１，第２放送信号線Ｌ１１，Ｌ１２を介してＴＶ本体装置３００へ出力するための第１，第２のブースタ端子２２３，２２４と、第１，第２のアンプ２２５，２２６を動作させるための電力信号を通過させるとともに、アナログ放送信号よりも高い周波数帯域のデジタル放送信号を通過させないローパスフィルタ２２７と、を設けている。そして、ローパスフィルタ２２７を、デジタル放送信号を増幅する第１のアンプ２２５に接続された第１のブースタ端子２２３と、第１，第２のアンプ２２５，２２６の電力信号入力部と、を接続する状態で設けている。
【００４３】
このため、第１の放送信号線Ｌ１１が適宜接続されデジタル放送信号をＴＶ本体装置３００へ出力するための第１のブースタ端子２２３と、ローパスフィルタ２２７と、を介して、第１，第２のアンプ２２５，２２６の電力信号入力部に電力信号を入力させることができ、ブースタ装置２２０およびＴＶ本体装置３００の間に、電力信号のみを出力するための電力信号線を接続する必要がなくなる。したがって、構成の簡略化を容易に図ることができる。また、アナログ放送信号よりも高い周波数帯域のデジタル放送信号を通過させないローパスフィルタ２２７を、第１のブースタ端子２２３および第１，第２のアンプ２２５，２２６の電力信号入力部を接続する状態で設けているので、アナログ放送信号を通過させないローパスフィルタを、第２のブースタ端子２２４および第１，第２のアンプ２２５，２２６の電力信号入力部を接続する状態で設ける構成と比べて、カットオフ周波数ｆを高くすることができる。このため、アナログ放送信号を通過させないローパスフィルタを設ける構成と比べて、例えば上述した数式（１）に示すようにカットオフ周波数ｆに反比例するインダクタンスやキャパシタンスを小さくでき、ローパスフィルタ２２７を構成する部品の小型化を図ることができる。したがって、ブースタ装置２２０の小型化を容易に図ることができる。
【００４４】
また、ローパスフィルタ２２７を、一端が第１のブースタ端子２２３および第１のアンプ２２５の接続点に接続されるとともに、他端が第１，第２のアンプ２２５，２２６の電力信号入力部に接続されたコイル２２７Ａと、一端がコイル２２７Ａの他端に接続されるとともに、他端が接地されたコンデンサ２２７Ｂと、で構成している。このため、ローパスフィルタ２２７をいわゆる受動素子であるコイル２２７Ａおよびコンデンサ２２７Ｂのみで構成しているので、構成の簡略化をより容易に図ることができる。
【００４５】
そして、ブースタ装置２２０を、第１，第２の本体端子３０１，３０２と、ブースタ装置２２０からのデジタル増幅信号やアナログ増幅信号に基づくテレビ放送を出力させるチューナ部３０３および処理部３０８と、第１の本体端子３０１に接続されブースタ装置２２０へ電力信号を出力する電力信号出力手段３０４と、を備えた車載用ＴＶ装置１００に適用している。このため、ラジオ放送と比べて多くの情報が提供可能な車載用ＴＶ装置１００の小型化および構成の簡略化を容易に図ることができる。
【００４６】
さらに、車載用ＴＶ装置１００に、ブースタ装置２２０にデジタル放送信号およびアナログ放送信号を出力するデジタル放送用アンテナ２１１およびアナログ放送用アンテナ２１２を設けている。このため、車載用ＴＶ装置１００に、デジタル放送やアナログ放送の受信機能および出力機能を設けることができ、利用の拡大を図ることができる。
【００４７】
また、ブースタ装置２２０を、車両に搭載される車載用ＴＶ装置１００に適用している。このため、フロントガラスＧに取り付けられるブースタ装置２２０の小型化が可能となるので、運転手の視認を妨げることなくデジタル放送やアナログ放送を受信可能となり、利用の拡大をさらに図ることができる。
【００４８】
〔実施の形態の変形〕
なお、本発明は、上述した一実施の形態に限定されるものではなく、本発明の目的を達成できる範囲で以下に示される変形をも含むものである。
【００４９】
すなわち、ローパスフィルタ２２７として、コイル２２７Ａおよびコンデンサ２２７Ｂのみを備えた構成について例示したが、これに限らず受動素子であるコイル、コンデンサ、および、抵抗、あるいは、能動素子であるオペアンプなど備えた構成としてもよい。
【００５０】
そして、本発明のデータ信号として、テレビ放送のデジタル放送信号およびアナログ放送信号を例示したが、以下のような信号としてもよい。すなわち、ＡＭ（Amplitude Modulation）放送やＦＭ（Frequency Modulation）放送あるいはデジタル放送のラジオ放送信号、無線ＬＡＮ（Local Area Network）やＢｌｕｅｔｏｏｔｈ（登録商標）を介して送受信される画像データ、音声データ、プログラムデータ、アプリケーションファイルデータの信号、ＢＳ（Broadcasting Satellite）放送やＣＳ（Communications Satellite）放送さらにはモバイル放送のテレビ放送やデータ放送としてもよい。
【００５１】
また、本発明のブースタ装置を、テレビ放送を受信、出力する車載用ＴＶ装置１００に適用した構成について例示したが、以下のような構成に適用してもよい。すなわち、家庭などに設置されるＴＶ装置、ラジオ装置、携帯型や設置型のコンピュータ、携帯電話、無線ＬＡＮ、Ｂｌｕｅｔｏｏｔｈなど、異なる周波数帯域のデータ信号を処理するいずれの構成に適用してもよい。
【００５２】
さらに、本発明のブースタ装置を、２つの異なる周波数帯域のデータ信号を処理する構成について例示したが、これに限らず３つ以上の異なる周波数帯域のデータ信号を処理する構成に適用してもよい。
【００５３】
その他、本発明の実施の際の具体的な構造および手順は、本発明の目的を達成できる範囲で他の構造などに適宜変更できる。
【００５４】
〔実施の形態の効果〕
上述したように、上記実施の形態では、受信装置２００のブースタ装置２２０に、デジタル放送用アンテナ２１１およびアナログ放送用アンテナ２１２で受信されたデジタル放送信号およびアナログ放送信号を増幅する第１，第２のアンプ２２５，２２６と、第１，第２のアンプ２２５，２２６にそれぞれ接続され、デジタル増幅信号およびアナログ増幅信号をＴＶ本体装置３００へ出力するための第１，第２のブースタ端子２２３，２２４と、電力信号を通過させるとともにアナログ放送信号よりも高い周波数帯域のデジタル放送信号を通過させないローパスフィルタ２２７と、を設けている。そして、ローパスフィルタ２２７を、デジタル放送信号を増幅する第１のアンプ２２５に接続された第１のブースタ端子２２３と、第１，第２のアンプ２２５，２２６の電力信号入力部と、を接続する状態で設けている。
【００５５】
このため、第１の放送信号線Ｌ１１が適宜接続されデジタル放送信号をＴＶ本体装置３００へ出力するための第１のブースタ端子２２３と、ローパスフィルタ２２７と、を介して、第１，第２のアンプ２２５，２２６の電力信号入力部に電力信号を入力させることができ、ブースタ装置２２０およびＴＶ本体装置３００の間に、電力信号のみを出力するための電力信号線を接続する必要がなくなる。したがって、構成の簡略化を容易に図ることができる。また、アナログ放送信号よりも高い周波数帯域のデジタル放送信号を通過させないローパスフィルタ２２７を設けているので、アナログ放送信号を通過させないローパスフィルタを設ける構成と比べて、カットオフ周波数ｆを高くすることができる。このため、アナログ放送信号を通過させないローパスフィルタを設ける構成と比べて、例えば上述した数式（１）に示すようにカットオフ周波数ｆに反比例するインダクタンスやキャパシタンスを小さくでき、ローパスフィルタ２２７を構成する部品の小型化を図ることができる。したがって、ブースタ装置２２０の小型化を容易に図ることができる。
【図面の簡単な説明】
【００５６】
【図１】従来の受信装置の概略構成を示すブロック図である。
【図２】本発明の一実施の形態に係る車載用ＴＶ装置が車両に取り付けられた状態を示す模式図である。
【図３】前記一実施の形態における車載用ＴＶ装置の概略構成を示すブロック図である。
【符号の説明】
【００５７】
２１１……デジタル放送用アンテナ
２１２……アナログ放送用アンテナ
２２０……ブースタ装置
２２５，２２６…第１，第２のアンプ
２２７……信号出力制御手段としてのローパスフィルタ
２２７Ａ…コイル
２２７Ｂ…コンデンサ
Ｌ１１，Ｌ１２…ケーブルとしての第１，第２の放送信号線
【図１】
2007189572.tif 000003
【図２】
2007189572.tif 000004
【図３】
2007189572.tif 000005